(57)【要約】【課題】大きな卵を保持できると共に、十分な深さを有する凹部を形成できるエッグトレーを提供することである。【解決手段】本発明に係るエッグトレーは、平板状の本体と、卵の一部を収容できるように前記本体の法線が延在する方向の一方側に向かって窪んでいる複数の凹部であって、円錐台状の内周面を有する複数の凹部と、を備えており、前記凹部の開口部における該凹部の内周面に含まれる側面の法線の前記本体に対する仰角は、該凹部の底部における該凹部の内周面に含まれる側面の法線の該本体に対する仰角よりも大きいこと、を特徴とする。【選択図】図４
2016074433.tif 000002
【特許請求の範囲】
【請求項１】
平板状の本体と、
卵の一部を収容できるように前記本体の法線が延在する方向の一方側に向かって窪んでいる複数の凹部であって、円錐台状の内周面を有する複数の凹部と、
を備えており、
前記凹部の開口部における該凹部の内周面に含まれる側面の法線の前記本体に対する仰角は、該凹部の底部における該凹部の内周面に含まれる側面の法線の該本体に対する仰角よりも大きいこと、
を特徴とするエッグトレー。
【請求項２】
前記複数の凹部は、前記本体に行列状に配列されていること、
を特徴とする請求項１に記載のエッグトレー。
【請求項３】
前記エッグトレーは、
前記本体の法線が延在する方向の他方側に向かって突出している複数の凸部であって、前記本体に行列状に配列されている複数の凸部を、
更に備えており、
行方向に隣り合う２つの前記凸部を結んで得られる辺及び列方向に隣り合う２つの前記凸部を結んで得られる辺を２辺とする長方形状の複数の領域であって、行列状に配列されている複数の領域のそれぞれには、前記凹部が設けられていること、
を特徴とする請求項２に記載のエッグトレー。
【請求項４】
少なくとも一部の前記凸部の先端には、突起が設けられており、
前記複数の凹部の底部には、前記突起が挿入できる大きさの孔が設けられていること、
を特徴とする請求項３に記載のエッグトレー。
【請求項５】
前記本体は、長方形状をなしており、
前記本体の辺に沿って並ぶ前記複数の凸部のそれぞれには、前記本体と平行であって、かつ、該辺に直交する方向から平面視したときに、該複数の凸部の該辺に沿う方向の中央部分を貫通する開口が設けられていること、
を特徴とする請求項３又は請求項４のいずれかに記載のエッグトレー。
【請求項６】
前記複数の凸部は、円錐台状の外周面を有しており、
前記凹部は、前記本体の法線が延在する方向の他方側から平面視したときに、前記本体において、該凹部が属する領域を形成している４つの前記凸部に食い込んでいること、
を特徴とする請求項３ないし請求項５のいずれかに記載のエッグトレー。
【請求項７】
前記凹部の内周面に含まれる側面の法線の前記本体に対する仰角は、前記凹部の開口部から底部に行くにしたがって階段状に小さくなること、
を特徴とする請求項１ないし請求項６のいずれかに記載のエッグトレー。
【発明の詳細な説明】
【技術分野】
【０００１】
本発明は、エッグトレーに関し、より特定的には、複数の卵を起立状態で保持するエッグトレーに関する。
【背景技術】
【０００２】
従来のエッグトレーとしては、例えば、特許文献１に記載のエッグトレーが知られている。図７は、特許文献１に記載のエッグトレー１１０の外観斜視図である。図８は、エッグトレー１１０の断面構造図である。図９は、複数のエッグトレー１１０を積み重ねたときの外観斜視図である。図１０は、相対的に小さな頂角θ０を有する円錐台状の凹部１１２を備えたエッグトレー１１０と相対的に大きな頂角θ０を有する円錐台状の凹部１１２を備えたエッグトレー１１０とを比較した図である。
【０００３】
図７に示すように、エッグトレー１１０には、行列状に配列された複数の凹部１１２及び行列状に配列された複数の凸部１１４が設けられている。図８に示すように、凹部１１２は、円錐台状の内周面を有しており、起立状態の卵の下部を保持する。凸部１１４は、起立状態の卵の側面を保持する。また、図７及び図８に示すように、複数の凸部１１４の内の一部の凸部１１４の先端には、突起１１６が設けられている。また、凹部１１２の底部には貫通孔１１８が設けられている。
【０００４】
以上のように構成されたエッグトレー１１０では、図９に示すように、複数のエッグトレー１１０が上下方向に積み重ねられて用いられる。この際、突起１１６が貫通孔１１８に挿入されることにより、複数のエッグトレー１１０同士がずれることを防止している。
【０００５】
ところで、エッグトレー１１０では、隣り合う凹部１１２の間隔を変更することなく、より大きな卵を保持できるようにしたいという要望が存在する。この場合には、円錐台状の内周面を有する凹部１１２の頂角θ０を大きくすればよい。ただし、図１０に示すように、貫通孔１１８の直径を維持しつつ、頂角θ０を大きくすると、凹部１１２の深さが浅くなってしまう。その結果、複数のエッグトレー１１０を積載した場合に、エッグトレー１１０の上下方向の間隔が小さくなってしまう。特に、相対的に小さな頂角θ０を有する円錐台状の凹部１１２を備えたエッグトレー１１０と相対的に大きな頂角θ０を有する円錐台状の凹部１１２を備えたエッグトレー１１０とが混在した状態で使用されていると、エッグトレー１１０の上下方向の間隔にばらつきが発生する。このようなばらつきは、エッグトレー１１０の搬送ミス等の原因となる。
【先行技術文献】
【特許文献】
【０００６】
【特許文献１】特開２０１３−１１９４０６号公報
【発明の概要】
【発明が解決しようとする課題】
【０００７】
そこで、本発明の目的は、大きな卵を保持できると共に、十分な深さを有する凹部を形成できるエッグトレーを提供することである。
【課題を解決するための手段】
【０００８】
本発明の一形態に係るエッグトレーは、
平板状の本体と、
卵の一部を収容できるように前記本体の法線が延在する方向の一方側に向かって窪んでいる複数の凹部であって、円錐台状の内周面を有する複数の凹部と、
を備えており、
前記凹部の開口部における該凹部の内周面に含まれる側面の法線の前記本体に対する仰角は、該凹部の底部における該凹部の内周面に含まれる側面の法線の該本体に対する仰角よりも大きいこと、
を特徴とする。
【発明の効果】
【０００９】
本発明によれば、大きな卵を保持できると共に、十分な深さを有する凹部を形成できる。
【図面の簡単な説明】
【００１０】
【図１】エッグトレー１０を斜め上側から見た外観斜視図である。
【図２】エッグトレー１０を斜め下側から見た外観斜視図である。
【図３】エッグトレー１０を下側から平面視した図である。
【図４】エッグトレー１０のＡ−Ａにおける断面構造図である。
【図５】エッグトレー１０に卵５０をセットしたときのＡ−Ａにおける断面構造図である。
【図６】２つのエッグトレー１０を上下に重ねたときのＡ−Ａにおける断面構造図である。
【図７】特許文献１に記載のエッグトレー１１０の外観斜視図である。
【図８】エッグトレー１１０の断面構造図である。
【図９】複数のエッグトレー１１０を積み重ねたときの外観斜視図である。
【図１０】相対的に小さな頂角θ０を有する凹部１１２を備えたエッグトレー１１０と相対的に大きな頂角θ０を有する凹部１１２を備えたエッグトレー１１０とを比較した図である。
【発明を実施するための形態】
【００１１】
以下に、本発明の実施形態に係るエッグトレーについて図面を参照しながら説明する。図１は、エッグトレー１０を斜め上側から見た外観斜視図である。図２は、エッグトレー１０を斜め下側から見た外観斜視図である。図３は、エッグトレー１０を下側から平面視した図である。図４は、エッグトレー１０のＡ−Ａにおける断面構造図である。図５は、エッグトレー１０に卵５０をセットしたときのＡ−Ａにおける断面構造図である。図６は、２つのエッグトレー１０を上下に重ねたときのＡ−Ａにおける断面構造図である。以下では、平板状のエッグトレー１０の法線方向を上下方向と定義する。また、エッグトレー１０を上側から平面視したときに２辺が延在する方向をそれぞれ、左右方向及び前後方向と定義する。なお、上下方向、左右方向及び前後方向は、一例であり、方向の定義はこれに限られない。
【００１２】
エッグトレー１０は、複数の鶏卵（以下、卵５０）を保持するためのトレーであり、例えば、樹脂により作製されている。エッグトレー１０は、図１ないし図３に示すように、本体１２、複数の凹部１４及び複数の凸部１６を備えている。
【００１３】
本体１２は、上側から平面視したときに、長方形状（より正確には正方形状）をなす平板状をなしている。本体１２の法線方向は、上下方向と実質的に一致している。
【００１４】
複数の凸部１６は、本体１２から上側に向かって突出している部分である。複数の凸部１６は、図１ないし図３に示すように、本体１２の２つの辺に沿って行列状に配列されている。以下では、前後方向を列方向と呼び、左右方向を行方向と呼ぶ。本実施形態では、４２個の凹部１４が７行６列の行列に配列されている。
【００１５】
複数の凸部１６は、円錐台状の外周面を有している。ただし、本体１２の前側の辺及び後ろ側の辺に沿って並ぶ（すなわち、１行目と７行目の）複数の凸部１６は、円錐台状が上下方向及び左右方向に平行な平面により半分に分割された形状をなしている。
【００１６】
また、本体１２の４つの辺に沿って並ぶ（すなわち、１行目と７行目と１列目と６列目の）複数の凸部１６を除く複数の凸部１６の外周面には、楕円形状の４つの開口２２，２４，２６，２８が設けられている。開口２２は、凸部１６の外周面における右後ろの部分に設けられており、上下方向に延在している。開口２４は、凸部１６の外周面における左後ろの部分に設けられており、上下方向に延在している。開口２６は、凸部１６の外周面における右前の部分に設けられており、上下方向に延在している。開口２８は、凸部１６の外周面における左前の部分に設けられており、上下方向に延在している。
【００１７】
また、本体１２の右側の辺に沿って並ぶ（すなわち、６列目の）複数の凸部１６の外周面には、開口２２，２６の代わりに、開口３０が設けられている。開口３０は、右側（本体１２と平行であって、かつ、右側の辺に直交する方向）から平面視したときに、凸部１６の前後方向の中央部分を貫通する台形状をなしている。開口３０の面積は、開口２２，２４，２６，２８の面積よりも大きい。
【００１８】
また、本体１２の左側の辺に沿って並ぶ（すなわち、１列目の）複数の凸部１６の外周面には、開口２４，２８の代わりに、開口３２が設けられている。開口３２は、左側（本体１２と平行であって、かつ、左側の辺に直交する方向）から平面視したときに、凸部１６の前後方向の中央部分を貫通する台形状をなしている。開口３２の面積は、開口２２，２４，２６，２８の面積よりも大きい。
【００１９】
また、本体１２の前側の辺に沿って並ぶ（すなわち、７行目の）複数の凸部１６の外周面には、開口２６，２８の代わりに、開口３４が設けられている。開口３４は、前側から平面視したときに、凸部１６の左右方向の中央部分を貫通する台形状をなしている。
【００２０】
また、本体１２の後ろ側の辺に沿って並ぶ（すなわち、１行目の）複数の凸部１６の外周面には、開口２２，２４の代わりに、開口３６が設けられている。開口３６は、後ろ側から平面視したときに、凸部１６の左右方向の中央部分を貫通する台形状をなしている。
【００２１】
また、一部の凸部１６の先端には、図１に示すように、突起２０が設けられている。本実施形態では、２行２列、２行５列、４行２列、４行５列、６行２列及び６行５列の位置の凸部１６に突起２０が設けられている。突起２０は、凸部１６の先端から上側に向かって突出している。また、突起２０が設けられていない凸部１６の先端には孔が設けられている。
【００２２】
複数の凹部１４は、本体１２から下側に向かって窪んでいる部分である。複数の凹部１４は、図１ないし図３に示すように、本体１２の２つの辺に沿って行列状に配列されている。本実施形態では、３０個の凹部１４が６行５列の行列に配列されている。凹部１４は、行方向に隣り合う２つの凸部１６を結んで得られる辺及び列方向に隣り合う２つの凸部１６を結んで得られる辺を２辺とする長方形状の領域Ｅ（図３参照）であって、行列状に配列されている複数の領域Ｅのそれぞれに設けられている。したがって、各凹部１４の右前、左前、右後ろ及び左後ろには凸部１６が設けられている。
【００２３】
また、凹部１４は、円錐台状の内周面を有している。また、凹部１４の内周面は、側面を含んでいる。具体的には、円錐台状の凹部１４の内周面の内の、円錐台の側面に相当する部分の内周面を、以下では単に凹部１４の側面と呼ぶ。
【００２４】
凹部１４の側面の直径は、図２及び図４に示すように、上側から下側へと行くにしたがって小さくなっている。ただし、凹部１４は、円錐台をなしているのではなく、２つの円錐台が組み合わされることにより構成されている。すなわち、凹部１４は、上部１４ａ及び下部１４ｂを含んでいる。
【００２５】
上部１４ａは、図４に示すように、本体１２から下側に向かって突出する円錐台である。上部１４ａの側面の上端における直径は、直径Ｒ１である。上部１４ａの側面の下端における直径は、直径Ｒ１よりも小さな直径Ｒ２である。また、上部１４ａの高さは、高さＨ１である。
【００２６】
下部１４ｂは、図４に示すように、上部１４ａの側面の下端から下側に向かって突出する円錐台である。下部１４ｂの側面の上端における直径は、直径Ｒ２である。下部１４ｂの側面の下端における直径は、直径Ｒ２よりも小さな直径Ｒ３である。また、下部１４ｂの高さは、高さＨ２である。
【００２７】
ここで、上部１４ａの側面の頂角θ１は、下部１４ｂの側面の頂角θ２よりも大きい。これにより、上部１４ａの側面の傾き（（Ｒ１−Ｒ２）／（２・Ｈ１））が下部１４ｂの側面の傾き（（Ｒ２−Ｒ３）／（２・Ｈ２））よりも小さくなっている。その結果、凹部１４の開口部（凹部１４の上端）における凹部１４の側面の法線Ｌ１の本体１２に対する仰角αは、凹部１４の底部（凹部１４の下端）における凹部１４の側面の法線Ｌ２の本体１２に対する仰角βよりも大きくなっている。更に、凹部１４の側面の法線の本体１２に対する仰角は、凹部１４の開口部から底部に行くにしたがって階段状（本実施形態では２段階）に小さくなっている。すなわち、該仰角は、上部１４ａと下部１４ｂとの境界において不連続に変化している。
【００２８】
また、凹部１４には、底面が存在しない。凹部１４の底部には、孔１８が設けられている。
【００２９】
ここで、図３に示すように、凹部１４は、上側から平面視したときに、本体１２において、凹部１４が属する領域Ｅを形成している４つの凸部１６に食い込んでいる。より詳細には、凹部１４の上端における半径Ｒ１／２と凸部１６の下端における半径Ｒ４／２との合計は、上側から平面視したときにおける凹部１４の中心と凸部１６の中心との距離Ｄよりも大きい。そして、凸部１６の一部が凹部１４によって切り欠かれている。
【００３０】
以上のように構成されたエッグトレー１０では、図５に示すように、起立状態の卵５０を保持することができる。卵５０の起立状態とは、卵５０の長手方向が上下方向に一致した状態を意味する。凹部１４は、起立状態の卵５０の下部を収容する。この際、卵５０は、上部１４ａの内周面に接触する。また、凸部１６は、起立状態の卵５０の側面を保持する。この際、卵５０は、凸部１６の開口２２，２４，２６，２８の外縁と接触する。
【００３１】
また、エッグトレー１０は、上下方向に積み重ねることが可能である。以下では、２つのエッグトレー１０が上下方向に積み重ねられる場合を例に挙げて説明する。
【００３２】
２つのエッグトレー１０が上下方向に積み重ねられる場合には、上側のエッグトレー１０は、下側のエッグトレー１０に対して上下方向に延在する軸を中心として９０°回転させられた状態で、下側のエッグトレー１０上に配置される。そして、図６に示すように、下側のエッグトレー１０の突起２０が上側のエッグトレー１０の孔１８に挿入される。これにより、上側のエッグトレー１０と下側のエッグトレー１０とが前後方向及び左右方向にずれることが防止されている。
【００３３】
（効果）
以上のように構成されたエッグトレー１０によれば、大きな卵５０を保持できると共に、十分な深さを有する凹部１４を形成できる。より詳細には、上部１４ａの側面の頂角θ１は、下部１４ｂの側面の頂角θ２よりも大きい。これにより、上部１４ａの側面の傾き（（Ｒ１−Ｒ２）／（２・Ｈ１））が下部１４ｂの側面の傾き（（Ｒ２−Ｒ３）／（２・Ｈ２））よりも小さくなっている。その結果、凹部１４の開口部における凹部１４の側面の法線Ｌ１の本体１２に対する仰角αは、凹部１４の底部における凹部１４の側面の法線Ｌ２の本体１２に対する仰角βよりも大きくなっている。よって、凹部１４の開口部近傍（上部１４ａ）の側面は、より大きな径を有する卵５０の下部を保持することができる。更に、凹部１４の底部近傍（下部１４ｂ）の側面が凹部１４の開口部近傍（上部１４ａ）の側面に比べて大きく傾斜しているので、下部１４ｂが上部１４ａから下方に向かって大きく突出している。その結果、凹部１４が十分な深さを有するようになる。
【００３４】
また、エッグトレー１０によれば、以下の理由によっても、大きな卵５０を保持できる。より詳細には、凹部１４は、本体１２において、凹部１４が属する領域Ｅを形成している４つの凸部１６に食い込んでいる。これにより、凹部１４の直径が大きくなり、凹部１４がより大きな卵５０を保持することができるようになる。
【００３５】
また、エッグトレー１０によれば、ユーザがエッグトレー１０を保持することが容易となる。より詳細には、本体１２の右側及び左側の辺に沿って並ぶ複数の凸部１６の外周面にはそれぞれ、開口３０，３２が設けられている。開口３０，３２はそれぞれ、右側及び左側から平面視したときに、凸部１６の前後方向の中央部分を貫通する台形状をなしている。そして、開口３０，３２の面積は、開口２２，２４，２６，２８の面積よりも大きい。これにより、ユーザは、開口３０，３２に親指を挿入し、残りの４本の指で本体１２の下側の面を支持して、エッグトレー１０を持つことができる。
【００３６】
（その他の実施形態）
本発明に係るエッグトレーは、前記エッグトレー１０に限らずその要旨の範囲内において変更可能である。
【００３７】
なお、エッグトレー１０において、凹部１４の側面の法線の本体１２に対する仰角は、凹部１４の開口部から底部に行くにしたがって階段状に小さくなるのではなく、連続的に小さくなっていてもよい。
【産業上の利用可能性】
【００３８】
以上のように、本発明は、エッグトレーに有用であり、特に、大きな卵５０を保持できると共に、十分な深さを有する凹部１４を形成できる点において優れている。
【符号の説明】
【００３９】
１０：エッグトレー
１２：本体
１４：凹部
１４ａ：上部
１４ｂ：下部
１６：凸部
１８：孔
２０：突起
２２，２４，２６，２８，３０，３２，３４，３６：開口
【図１】
2016074433.tif 000003
【図２】
2016074433.tif 000004
【図３】
2016074433.tif 000005
【図４】
2016074433.tif 000006
【図５】
2016074433.tif 000007
【図６】
2016074433.tif 000008
【図７】
2016074433.tif 000009
【図８】
2016074433.tif 000010
【図９】
2016074433.tif 000011
【図１０】
2016074433.tif 000012